Podtech/llm-jp-corpus-v4-ja_patent huggingface dataset:
【手続補正書】
【提出日】令和3年1月22日(2021.1.22)
【手続補正１】
【補正対象書類名】特許請求の範囲
【補正対象項目名】全文
【補正方法】変更
【補正の内容】
【特許請求の範囲】
【請求項１】
組織製品の製造方法であって、
コラーゲン含有組織マトリックスを含む第１の材料を選択するステップと、
前記第１の材料の一部分を処理して、その部分の表面付近のコラーゲンを部分的に変性させるステップと、
コラーゲンを部分的に変性させるために処理された部分を、トランスグルタミナーゼ酵素を含む組成物と接触させるステップと、
トランスグルタミナーゼを含む組成物と接触した部分を、コラーゲン含有組織マトリックスを含む第２の材料と物理的に接触させるステップとを備えることを特徴とする方法。
【請求項２】
請求項１に記載の方法において、
コラーゲン含有組織マトリックスを含む少なくとも１の追加の材料を選択するステップと、
少なくとも１の追加の材料の一部分を処理して、少なくとも１の追加の材料の一部分の表面付近のコラーゲンを部分的に変性させるステップと、
コラーゲンを部分的に変性させるために処理された少なくとも１の追加の材料の一部分を、トランスグルタミナーゼ酵素を含む組成物と接触させるステップと、
トランスグルタミナーゼを含む組成物と接触した少なくとも１の追加の材料の一部分を、第１の材料または第２の材料と物理的に接触させるステップとをさらに備えることを特徴とする方法。
【請求項３】
請求項１または２に記載の方法において、
トランスグルタミナーゼ酵素を含む組成物が、水溶液を含むことを特徴とする方法。
【請求項４】
請求項１乃至３の何れか一項に記載の方法において、
コラーゲン含有組織マトリックスを含む材料が、粒子状であることを特徴とする方法。
【請求項５】
請求項１乃至３の何れか一項に記載の方法において、
コラーゲン含有組織マトリックスを含む材料が、シートの形態であることを特徴とする方法。
【請求項６】
請求項１乃至５の何れか一項に記載の方法において、
コラーゲン含有組織マトリックスを含む材料が、無細胞組織マトリックスであることを特徴とする方法。
【請求項７】
請求項６に記載の方法において、
コラーゲン含有組織マトリックスが、皮膚、筋膜、脂肪、心膜組織、硬膜、臍帯組織、胎盤組織、心臓弁組織、靭帯組織、腱組織、動脈組織、静脈組織、神経結合組織、膀胱組織、尿管組織、筋肉および腸組織から選択される組織に由来する組織から生成されることを特徴とする方法。
【請求項８】
請求項６に記載の方法において、
コラーゲン含有組織マトリックスが、筋肉由来の組織から生成されることを特徴とする方法。
【請求項９】
請求項６に記載の方法において、
コラーゲン含有組織マトリックスが、筋肉組織マトリックスを含むことを特徴とする方法。
【請求項１０】
請求項１に記載の方法において、
前記第１の材料および前記第２の材料の各々が無細胞組織マトリックスのシートを含み、前記第１の材料および前記第２の材料が互いに接触されて多層シートがもたらされることを特徴とする方法。
【請求項１１】
請求項１０に記載の方法において、
前記多層シートが無細胞筋マトリックスを含むことを特徴とする方法。
【請求項１２】
請求項１乃至１１の何れか一項に記載の方法に従って製造された組織製品。
【請求項１３】
組織治療製品であって、
実質的に無傷の無細胞コラーゲン組織マトリックスを有する無細胞組織マトリックスと、部分的に変性したコラーゲンを含む表面領域とを備え、部分的に変性したコラーゲンが、実質的に無傷の無細胞コラーゲン組織マトリックスと同じ組織から形成されるコラーゲンマトリックスを含み、部分的に変性したコラーゲンが、無傷の組織マトリックスの天然コラーゲン骨格から形成されるとともに、無傷の組織マトリックスに結合されていることを特徴とする製品。
【請求項１４】
請求項１３に記載の製品において、
コラーゲン含有組織マトリックスを含む材料が、粒子状であることを特徴とする製品。
【請求項１５】
請求項１３または１４に記載の製品において、
コラーゲン含有組織マトリックスを含む材料が、シートの形態であることを特徴とする製品。
【請求項１６】
請求項１３乃至１５の何れか一項に記載の製品において、
コラーゲン含有組織マトリックスが、皮膚、筋膜、脂肪、心膜組織、硬膜、臍帯組織、胎盤組織、心臓弁組織、靭帯組織、腱組織、動脈組織、静脈組織、神経結合組織、膀胱組織、尿管組織および腸組織から選択される組織に由来する組織から生成されていることを特徴とすることを特徴とする製品。
【請求項１７】
請求項１３乃至１５の何れか一項に記載の製品において、
コラーゲン含有組織マトリックスが、筋肉由来の組織から生成されることを特徴とする製品。
【請求項１８】
請求項１３乃至１５の何れか一項に記載の製品において、
コラーゲン含有組織マトリックスが、筋肉組織マトリックスを含むことを特徴とする製品。
【手続補正書】
【提出日】令和3年1月7日(2021.1.7)
【手続補正１】
【補正対象書類名】特許請求の範囲
【補正対象項目名】全文
【補正方法】変更
【補正の内容】
【特許請求の範囲】
【請求項１】
ステントであって、
前記ステントの長手方向軸線を円周方向に囲むように交互に配置される複数のステントセルを備え、
前記交互に配置される複数のステントセルは、円周方向の軸線に沿って配置され、
前記交互に配置される複数のステントセルは、第１のリング及び第２のリングを含み、
前記第１のリング及び前記第２のリングは、複数のストラットを含み、
前記第２のリングの前記複数のストラットは、前記第１のリングの前記複数のストラットの鏡像であり、
前記第１のリングは、М字形状セクション及び反転Ｖ字形状セクションを備え、
前記М字形状セクションは、
第１の端部頂点によって第２の湾曲ストラットに接続される第１の湾曲ストラットと、
第１の中間頂点によって前記第２の湾曲ストラットに接続される第３の湾曲ストラットと、
第２の端部頂点によって前記第３の湾曲ストラットに接続される第４の湾曲ストラットと、を備えており、
前記反転Ｖ字形状セクションは、
第３の端部頂点によって第６の湾曲ストラットに接続される第５の湾曲ストラットを備える、
ステント。
【請求項２】
請求項１に記載のステントであって、前記第３の湾曲ストラットは、前記第２の湾曲ストラットの鏡像である、ステント。
【請求項３】
請求項２に記載のステントであって、前記第４の湾曲ストラットは、前記第１の湾曲ストラットの鏡像である、ステント。
【請求項４】
請求項３に記載のステントであって、前記第５の湾曲ストラットは、前記第６の湾曲ストラットの鏡像である、ステント。
【請求項５】
請求項１に記載のステントであって、前記第５の湾曲ストラットは、第２の中間頂点によって前記第４の湾曲ストラットに接続されている、ステント。
【請求項６】
請求項１に記載のステントであって、複数のブリッジが前記第１のリングを前記第２のリングに接続しており、
前記複数のブリッジは、前記第１のリングの前記第１の中間頂点から前記第２のリングの第１の中間頂点まで延びる第１のブリッジを含む、ステント。
【請求項７】
請求項１に記載のステントであって、前記交互に配置される複数のステントセルは、前記第１のリングを前記第２のリングに接続する第１のブリッジ及び第２のブリッジによって画定される、ステント。
【請求項８】
請求項１に記載のステントであって、さらに、前記第１のリングの前記第１の端部頂点及び前記第２の端部頂点のうちの一方に取り付けられる少なくとも一つの放射線不透過性マーカを備える、ステント。
【請求項９】
請求項８に記載のステントであって、前記少なくとも一つの放射線不透過性マーカは、担体に位置決めされる放射線不透過性インサートを備える、ステント。
【請求項１０】
ステントであって、
相互接続されたストラットの第１の列と、
前記相互接続されたストラットの第１の列に、複数のブリッジストラットを介して取り付けられ、前記相互接続されたストラットの第１の列の鏡像を有する、相互接続されたストラットの第２の列と、
を備え、
前記相互接続されたストラットの第１の列及び前記相互接続されたストラットの第２の列の各々は、第１の長さを有する第１のストラット及び前記第１の長さより大きい第２の長さを有する第２のストラットを含み、
前記相互接続されたストラットの第１の列及び前記相互接続されたストラットの第２の列は、２つの第１のストラットと、前記２つの第１のストラットに続く４つの第２のストラットのパターンで配置され、
前記第１のストラットの各々は、端部頂点で互いに接続され、
前記第１のストラットの各々は、第１の中間頂点で第２のストラットに接続され、
前記第１の中間頂点の各々は、前記複数のブリッジストラットの１つに取り付けられている、ステント。
【請求項１１】
請求項１０に記載のステントであって、
前記相互接続されたストラットの第１の列及び前記相互接続されたストラットの第２の列の各々は、前記第２のストラットの少なくとも１つから延びる少なくとも１つの放射線不透過性部材を含む、ステント。
【請求項１２】
請求項１１に記載のステントであって、
前記少なくとも１つの放射線不透過性部材は、前記第１のストラットの１つに接続された前記第２のストラットの少なくとも１つから延びている、ステント。
【請求項１３】
請求項１０に記載のステントであって、
４つの連続的な第２のストラットがМ字形状を形成する、ステント。
【請求項１４】
請求項１３に記載のステントであって、
前記第２のストラットは湾曲している、ステント。
【請求項１５】
請求項１０に記載のステントであって、
第１のストラットに接続されていない前記第２のストラットが、第２の中間頂点で互いに接続されており、
前記第２の中間頂点は、前記複数のブリッジストラットの１つに接続されていない、ステント。
【請求項１６】
ステント移送システムであって、
内側管状部材と、
前記内側管状部材の遠位端に配置され、前記内側管状部材の直径より大きい、近位側の直径を有する先端セクションと、
前記先端セクションより近位側に位置決めされ、請求項１０に記載のステントの長さに対応する長さだけ、前記先端セクションの近位端から離間して配置されるロック部材と、
を備え、前記ロック部材は、
管状の近位セクションと、
前記管状の近位セクションから遠位方向に延びる指部の第１の対と、
を有し、前記指部の第１の対は、共に凹部を形成する遠位端を有し、
前記ステント移送システムは、さらに、
移送構成において前記内側管状部材及び前記ロック部材を覆う外側管状部材であって、前記内側管状部材及び前記ロック部材に対して移動可能な外側管状部材を備える、ステント移送システム。
【請求項１７】
請求項１６に記載のステント移送システムであって、
前記ステントが、前記第２のストラットの少なくとも１つから延びており、前記凹部に対応する形状を有する放射線不透過性マーカを含む、ステント移送システム。
【請求項１８】
請求項１７に記載のステント移送システムであって、
前記第１の対の指部の一方が、前記指部の第１の対の長手方向軸線に対して角度付けられた形態に付勢されている、ステント移送システム。
【請求項１９】
請求項１６に記載のステント移送システムであって、さらに、
前記管状の近位セクションから遠位方向に延びる指部の第２の対を備えており、
前記指部の第２の対は、共に第２の凹部を形成する遠位端を有する、ステント移送システム。
【請求項２０】
請求項１９に記載のステント移送システムであって、
前記指部の第２の対は、前記指部の第１の対から１８０度離間している、ステント移送システム。
【手続補正２】
【補正対象書類名】明細書
【補正対象項目名】００３４
【補正方法】変更
【補正の内容】
【００３４】
[00046]ストラット長の以下の定義が用いられる。「ストラット長」とは、ストラットの一端における頂点の曲率半径の中心から、ストラットの他端における頂点の曲率半径の別の中心までのストラットの長さである。「ｃ１」はｃ１湾曲ストラットのストラット長を表し、「ｃ２」はｃ２湾曲ストラットのストラット長を表し、「ｃ３」は、ｃ３湾曲ストラットのストラット長を表し、「ｂ１」は、ｂ１ブリッジのストラット長を表し、「ｂ２」は、ｂ２ブリッジのストラット長を表す。
【手続補正書】
【提出日】令和2年12月15日(2020.12.15)
【手続補正１】
【補正対象書類名】特許請求の範囲
【補正対象項目名】全文
【補正方法】変更
【補正の内容】
【特許請求の範囲】
【請求項１】
血圧信号を取得するためのセンサであって、
上面および底面を有し、力抵抗性導電性感知フィルムを備えた基板と、
前記感知フィルムの前記上面に結合された機械的素子であって、ユーザに接触したときに上面から前記感知フィルムへ圧力を伝達するように作用する機械的素子と、
前記感知フィルムの前記上面または下面の１つに取り付けられた一対の導電性素子であって、前記機械的素子へ圧力が印加されたときの前記感知フィルムの抵抗の変化を検出することができるように間隔をあけて配置された、一対の導電性素子と、
を備えた、センサ。
【請求項２】
前記感知フィルムは、圧力が印加されると抵抗が減少する圧電抵抗導電性フィルムを含む、請求項１に記載のセンサ。
【請求項３】
前記感知フィルムが、ベロスタット導電性フィルムおよびリンクスタット導電性フィルムのうちの少なくとも１つを含む、請求項１に記載のセンサ。
【請求項４】
前記機械的素子が、硬質材料、樹脂、プラスチック、セメント、軟質材料、ゲル、ポリマー、ポリジメチルシロキサン、およびシリコーン（ＰＤＭＳ）のうちの少なくとも１つを含む、請求項１に記載のセンサ。
【請求項５】
前記機械的素子が、相対的に硬いシリンダと、前記シリンダを満たす相対的に軟らかい材料とを含み、前記シリンダが、ユーザからの圧力波を前記軟らかい材料を通じて前記感知フィルムに伝達するように動作する、請求項１に記載のセンサ。
【請求項６】
前記一対の導電性素子は、第１および第２の相互に嵌合する導電性素子を含む、請求項１に記載のセンサ。
【請求項７】
前記一対の導電性素子に結合され、前記機械的素子に加えられる圧力に従ってデジタル信号を生成するように動作するセンサ回路をさらに備える、請求項１に記載のセンサ。
【請求項８】
血圧信号を取得するためのセンサであって、
上面および底面を有し、力抵抗性導電性感知フィルムを備えた基板と、
前記感知フィルムの前記上面に結合された第１の導電性素子と、
前記第１の導電性素子に結合された機械的素子であって、ユーザに接触したときに上面から前記感知フィルムへ圧力を伝達するように作用する機械的素子と、
前記感知フィルムの底面に結合された第２の導電性素子とを備え、前記第１の導電性素子及び前記第２の導電性素子は、前記機械的素子へ圧力が印加されたときの前記感知フィルムの抵抗の変化を検出することができるように間隔をあけて配置された、センサ。
【請求項９】
前記感知フィルムは、圧力が印加されると抵抗が減少する圧電抵抗導電性フィルムを含む、請求項８に記載のセンサ。
【請求項１０】
前記感知フィルムが、ベロスタット導電性フィルムおよびリンクスタット導電性フィルムのうちの少なくとも１つを含む、請求項８に記載のセンサ。
【請求項１１】
前記機械的素子が、硬質材料、樹脂、プラスチック、セメント、軟質材料、ゲル、ポリマー、ポリジメチルシロキサン、およびシリコーン（ＰＤＭＳ）のうちの少なくとも１つを含む、請求項８に記載のセンサ。
【請求項１２】
前記機械的素子は、相対的に硬いシリンダと、前記シリンダを満たす相対的に軟らかい材料とを含み、前記シリンダは、ユーザからの圧力波を前記軟らかい材料を通じて前記感知フィルムに伝達するように動作する、請求項８に記載のセンサ。
【請求項１３】
ユーザの血圧を測定するためのウェアラブルデバイスであって、
ハウジングと、
前記ハウジングに取り付けられたディスプレイと、
前記ハウジングに連結されたリストストラップと、
メモリに結合されたプロセッサと、
センサ回路に結合され、血圧信号を取得するように動作する複数のセンサ素子を含む少なくとも１つのセンサアレイとを含み、
各センサ素子は、
上面および底面を有し、力抵抗性導電性感知フィルムを備えた基板と、
前記感知フィルムの上面に結合された機械的素子であって、ユーザに接触したときに、上面から前記感知フィルムに向かって圧力を伝達するように作用する機械的素子と、
前記感知フィルムに結合された第１および第２の導電性素子であって、前記機械的素子に圧力が印加されたときに前記感知フィルムの抵抗の変化を検出することができるように離間して配置された第１および第２の導電性素子と、を含む、センサ。
【請求項１４】
前記感知フィルムが、ベロスタット導電性フィルムおよびリンクスタット導電性フィルムのうちの少なくとも１つを含む、請求項１３に記載のセンサ。
【請求項１５】
前記第１の導電性素子は前記感知フィルムの上面に印刷され、前記第２の導電性素子は前記感知フィルムの底面に印刷された、請求項１３に記載のセンサ。
【手続補正書】
【提出日】令和2年12月23日(2020.12.23)
【手続補正１】
【補正対象書類名】特許請求の範囲
【補正対象項目名】全文
【補正方法】変更
【補正の内容】
【特許請求の範囲】
【請求項１】
患者個人向けのいびき防止解決策を決定する方法であって、
前記患者によるいびきが生じている前記患者の睡眠期間の分析を行うステップと、
前記分析において得られた情報に基づいて、前記患者のためのいびき防止解決策を決定するステップと、
前記いびき防止解決策を前記患者にアドバイスするステップと、
前記患者が前記いびき防止解決策を使用している、前記患者の更なる睡眠期間を追跡するステップと、
前記追跡において得られた情報と前記分析において得られたデータとの比較に基づいて、前記いびき防止解決策に対する変更を前記患者にアドバイスするステップと、
を含む、方法。
【請求項２】
前記患者によるいびきを分析するステップは、前記患者によるいびきの音響分析を行うステップを含む、請求項１に記載の方法。
【請求項３】
前記患者によるいびきの音響分析を行うステップは、
混合音響信号からいびきのエピソードを抽出するステップと、
前記いびきのエピソードのいびきの強さを分類するステップと、
一晩のいびきのエピソードの割合を計算するステップと、
前記いびきのエピソードの音の振幅を分類するステップと、
前記音響分析から得られたデータを記憶するステップとのうちの１つ以上を含む、請求項２に記載の方法。
【請求項４】
前記患者によるいびきを分析するステップは、前記患者によるいびきのスペクトル分析を行うステップを含む、請求項２に記載の方法。
【請求項５】
前記患者によるいびきを分析するステップは、前記患者によるいびきの音に関するデータをいびき音ライブラリに格納するステップを含む、請求項４に記載の方法。
【請求項６】
前記患者によるいびきを分析するステップは、前記患者によるいびき挙動の主観的評価を行うステップを含む、請求項１に記載の方法。
【請求項７】
前記主観的評価を行うステップは、前記患者及び前記患者のベッドパートナーの一方又は両方に幾つかの質問をするステップと、それらに対する回答を分析するステップとを含む、請求項６に記載の方法。
【請求項８】
前記患者によるいびきを分析するステップは、前記患者によるいびきの発生源を決定するための自己評価を行うステップを含む、請求項１に記載の方法。
【請求項９】
前記自己評価を行うステップは、前記患者によるいびきの最も可能性の高い発生源を特定するために、前記患者の鼻孔及び口を開閉することによっていびき音を生成するステップを含む、請求項８に記載の方法。
【請求項１０】
患者個人向けのいびき防止解決策を決定するシステムであって、
適切なメモリが関連付けられている処理デバイスと、
前記処理デバイスと通信する１つ以上の音響センサと、
前記患者から情報を受信したり、前記患者に情報を提供する入力／出力デバイスと、
を含み、
前記処理デバイスは、
前記患者によるいびきの分析を行う際に前記１つ以上の音響センサを利用し、
前記分析で得られた情報に基づいて、前記患者のためのいびき防止解決策を決定し、
前記いびき防止解決策を前記患者にアドバイスする際に前記入力／出力デバイスを利用し、
前記患者が前記いびき防止解決策を使用したことに呼応して、前記患者による更なるいびきを追跡する際に前記１つ以上の音響センサを利用し、
前記追跡において得られた情報と前記分析において得られたデータとの比較に基づいて、前記いびき防止解決策に対する変更を前記患者にアドバイスする際に前記入力／入出力デバイスを利用するようにプログラミングされている、システム。
【請求項１１】
請求項１に記載の方法を実施するためのプログラムコードを含むコンピュータプログラムで符号化された、非一時的コンピュータ可読媒体。
【手続補正書】
【提出日】令和2年12月16日(2020.12.16)
【手続補正１】
【補正対象書類名】特許請求の範囲
【補正対象項目名】全文
【補正方法】変更
【補正の内容】
【特許請求の範囲】
【請求項１】
少なくとも部分的にコンピュータプロセッサ上で実行される、患者の３Ｄ頭部計測解析のための方法であって、
少なくとも第１の２Ｄビュー又は３Ｄビューからの患者の頭部のコンピュータ断層撮影走査からの復元体積画像データを表示するステップと、
表示された前記少なくとも第１の２Ｄビュー又は３Ｄビュー上に少なくとも１つの基準マークを位置決めし表示するオペレータ命令を受け取るステップと、
前記患者の口内の１つ以上の歯列要素をセグメント化するステップと、
前記少なくとも１つの基準マーク及び前記１つ以上のセグメント化された歯列要素からのデータに従って、前記患者のための複数の解剖学上の頭部計測パラメータ及び複数の被誘導頭部計測パラメータを計算し、表示するステップと、
前記計算された頭部計測パラメータを使用して、顎骨顔面非対称性を示す１つ以上の結果を計算するステップと、
顎骨顔面非対称性を示す計算結果を示すために図形又はテキスト表示を起動するステップであって、前記表示が、選択された異なる顎骨顔面非対称前後関係、非対称垂直方向関係及び非対称横方向関係を表す第１の複数の入力、及び、前記第１の複数の入力を使用して生成される、合成された顎骨顔面非対称蓄積前後状態、蓄積非対称垂直方向状態及び蓄積非対称横方向状態を表す第２の複数の入力を含む、ステップと、
を含むことを特徴とする方法。
【請求項２】
請求項１に記載の方法であって、
前記複数の頭部計測パラメータが、前頭ビュー又は矢状ビューからの非対称性を図形的に示す、
ことを特徴とする方法。
【請求項３】
請求項１に記載の方法であって、
前記計算された結果を予め計算済みの結果と比較するステップと、
前記比較に関連するメッセージを表示するステップと、
をさらに含むことを特徴とする方法。
【請求項４】
請求項１に記載の方法であって、
前記基準マークのうちの１つ以上を、前記第１の２Ｄビューに対して実質的に直角である第２の２Ｄビュー上に表示するステップと、
をさらに含むことを特徴とする方法。
【請求項５】
請求項１に記載の方法であって、
複数の頭部計測パラメータを計算し、表示するステップが、前記計算された頭部計測パラメータに関連する３次元フレームワークを生成するステップを含む、
ことを特徴とする方法。
【請求項６】
請求項１に記載の方法であって、
前記計算された結果を示すステップが、前記計算された結果のうちの１つ以上を患者母集団の試料から計算された値に対して評価するステップを含み、
前記少なくとも１つの基準マークが前記患者の前記口の外部に存在する解剖学的特徴を識別する、
ことを特徴とする方法。
【請求項７】
請求項１に記載の方法であって、
前記第１の複数の入力の各々に対する前記計算された頭部計測パラメータからの計算に従って表報告書を生成し、表示するステップと、
をさらに含み、
前記第１の複数の入力の前記各々が、前記第１の複数の入力の前記各々に対応する前記表報告書中のセルのうちの１つのアクティブセルに対応する、
ことを特徴とする方法。
【請求項８】
請求項１に記載の方法であって、
前記合成された顎骨顔面非対称蓄積前後状態、前記蓄積非対称垂直方向状態、及び、前記蓄積非対称横方向状態の組合せを表す第３の入力をさらに含む、
ことを特徴とする方法。
【請求項９】
請求項１に記載の方法であって、
前記少なくとも１つの基準マーク及び顎骨顔面非対称性を示す前記計算された結果を示す図形プロットを表示するステップと、
をさらに含むことを特徴とする方法。
【請求項１０】
請求項９に記載の方法であって、
前記表示される図形プロットが矢状ビューからの計算結果を示し、
前記１つ以上の結果が歯の偏位を示す、
ことを特徴とする方法。
【請求項１１】
少なくとも第１の２Ｄビュー又は３Ｄビューからの患者の頭部のコンピュータ断層撮影走査からの復元体積画像データを表示することと、
前記患者の口内の１つ以上の歯列要素をセグメント化することと、
少なくとも１つの顎骨顔面基準マーク及び前記１つ以上のセグメント化された歯列要素からのデータに従って、前記患者のための複数の解剖学上の頭部計測パラメータ及び複数の被誘導頭部計測パラメータを計算し、表示することと、
前記計算された頭部計測パラメータを使用して、顎骨顔面非対称性を示す１つ以上の結果を計算することと、
非対称性を示す計算結果を示すために図形又はテキスト表示を起動し、顎骨顔面非対称性を示す前記計算結果を示すために図形又はテキスト表示を起動することであって、前記表示が、選択された異なる顎骨顔面非対称前後関係、非対称垂直方向関係及び非対称横方向関係を表す第１の複数の入力、及び、前記第１の複数の入力を使用して生成される、合成された顎骨顔面非対称蓄積前後状態、蓄積非対称垂直方向状態及び蓄積非対称横方向状態を表す第２の複数の入力を含む、起動することと、
を行うための符号化された命令を使用して構成されることを特徴とする論理プロセッサ。
【請求項１２】
請求項１１に記載の論理プロセッサであって、
複数のネットワークを有する解析エンジンモデルを使用して頭部計測パラメータのために構成される、
ことを特徴とする論理プロセッサ。
【手続補正書】
【提出日】令和3年1月8日(2021.1.8)
【手続補正１】
【補正対象書類名】特許請求の範囲
【補正対象項目名】全文
【補正方法】変更
【補正の内容】
【特許請求の範囲】
【請求項１】
熱量測定パフォーマンスモニタリングシステムであって、
呼吸フロー経路内に配置されるよう構成された流量センサに流体接続するよう構成されたアナライザーと、
前記アナライザーに関連付けられ、呼吸流量と前記呼吸フローの少なくとも一部の組成とを決定するよう構成されたコントローラと、を備え、
前記コントローラは、さらに、
取得されたデータを、安定状態呼吸パフォーマンスデータと非安定状態呼吸パフォーマンスデータに分離し、
前記安定状態呼吸パフォーマンスデータに基づいて前記流量センサに関連する対象の熱量測定パフォーマンスに関連する値を決定するよう構成された
ことを特徴とするシステム。
【請求項２】
前記コントローラは、さらに、前記安定状態呼吸パフォーマンスデータと前記非安定状態呼吸パフォーマンスデータの分離の決定に関連する少なくとも１つの閾値をユーザが設定できるよう構成されたことを特徴とする請求項１に記載のシステム。
【請求項３】
前記コントローラは、さらに、ユーザが第２の閾値を設定できるよう構成され、呼吸パフォーマンスデータが前記熱量測定パフォーマンスに関連する値の決定に関連する安定状態パフォーマンスデータとして適したものとなるために前記第１の閾値と前記第２の閾値が各々満たされなければならないよう構成されていることを特徴とする請求項２に記載のシステム。
【請求項４】
前記コントローラは、前記熱量測定パフォーマンスに関連する値の決定中に、各呼吸サイクルに関連する非安定状態呼吸パフォーマンスデータを除外するよう構成されることを特徴とする請求項１に記載のシステム。
【請求項５】
前記コントローラは、さらに、前記流量センサに伝えられる整列信号を生成し、その一部がそこから前記アナライザーに戻されるよう構成され、
前記コントローラは、前記整列信号に関連する情報に応じて、取得された呼吸流量データ及び組成データを時間的に整列させるために前記整列信号を用いるよう構成される
ことを特徴とする請求項１に記載のシステム。
【請求項６】
前記流量センサが、
前記アナライザーに接続され、かつ前記センサを通る流量の決定に関連する第１ポート及び第２ポートと、
前記流量のサンプルを前記アナライザーに送る第３ポートと、を含む
ことを特徴とする請求項１に記載のシステム。
【請求項７】
呼吸パフォーマンスデータから熱量測定パフォーマンスを決定する方法であって、
呼吸フローストリームの流量と組成の少なくとも一部とを決定する工程と、
前記呼吸フローの前記決定された流量と前記組成の少なくとも一部とに関連するデータから熱量測定パフォーマンスを決定する工程と、を含み、
前記熱量測定パフォーマンスを決定する工程が、前記熱量測定パフォーマンスの決定から非安定状態呼吸パフォーマンスデータの少なくとも一部を取り除くことを含む
ことを特徴とする方法。
【請求項８】
前記呼吸フローの前記決定された流量と前記決定された組成の一部とを、安定状態呼吸パフォーマンスデータと、前記非安定状態呼吸パフォーマンスデータと、に分離する工程をさらに含むことを特徴とする請求項７に記載の方法。
【請求項９】
前記呼吸フローストリームのサンプルを、ストリーム内流量センサとアナライザーから送る工程をさらに含むことを特徴とする請求項７に記載の方法。
【請求項１０】
前記アナライザーから前記流量センサに整列信号を送る工程と、
前記アナライザーを用いて、前記整列信号に起因するデータを取得する工程と、
前記決定された流量及び前記決定された組成を、前記整列信号の動作に応じて時間的に
整列させる工程と、をさらに含む
ことを特徴とする請求項９に記載の方法。
【請求項１１】
前記決定された熱量測定パフォーマンスに関連する値を、前記呼吸フローストリームに関連する前記決定された流量及び前記決定された組成と同時に表示する工程をさらに含み、
前記熱量測定パフォーマンスに関連する値と、前記決定された流量及び前記決定された組成と、のうちの少なくとも１つが、互いに整列するよう時間領域内でシフトされた
ことを特徴とする請求項７に記載の方法。
【手続補正書】
【提出日】令和2年12月23日(2020.12.23)
【手続補正１】
【補正対象書類名】特許請求の範囲
【補正対象項目名】全文
【補正方法】変更
【補正の内容】
【特許請求の範囲】
【請求項１】
操作者によるデバイスの操作および制御を容易にするように構成されたハンドルと、
前記ハンドルから伸びる細長い中空部材とを備え、
前記中空部材は、近位端および遠位端を備え、
前記中空部材は、その遠位端に設けられた開口と、細長い中空部材内に配置されるように構成されたトルク伝達要素／アセンブリと、トルク伝達要素／アセンブリに取り付けられ、開口を通って伸びるかまたは開口に配置された回転可能な切断要素と、前記トルク伝達要素／アセンブリの一部に沿って配置されて曲げられたときに前記トルク伝達要素／アセンブリの頂点を定義するよう構成された１つまたは複数のベアリングとを含み、前記中空部材は、その近位端に、中空部材の近位屈曲部のその部分がハンドルの中心軸線をオフセットし、それによって回転可能な切断要素の視認性を確実にするように構成された第１の屈曲部を含み、前記トルク伝達要素／アセンブリは、マルチストランドワイヤを有するコアを備え、前記トルク伝達要素／アセンブリは、回転可能な切断要素の回転運動に影響を及ぼすように構成される、
外科的骨切断デバイス。
【請求項２】
前記第１の近位屈曲部は、前記ハンドルの前記中心軸に対して最大９０度の屈曲角度を有し、好ましくは、前記第１の近位屈曲部は、前記ハンドルの前記中心軸に対して２０〜６０度の屈曲角度を有し、または、前記第１の近位屈曲部が、２０ｍｍ未満の曲げ半径を有する、請求項１に記載のデバイス。
【請求項３】
前記中空部材が、第２の近位屈曲をさらに含む、請求項１または２に記載のデバイス。
【請求項４】
前記中空部材において、前記第１の近位屈曲部および第２の近位屈曲部に対して遠位の部分は、前記ハンドルの中心軸に実質的に平行であり、または、前記第２の近位屈曲部が、前記ハンドルの中心軸に対して最大９０度の屈曲角度を有し、好ましくは、前記第２の近位屈曲部が、前記ハンドルの中心軸に対して２０〜６０度の屈曲角度を有し、または、前記第２の近位屈曲部が、２０ｍｍ未満の曲げ半径を有する、請求項３に記載のデバイス。
【請求項５】
前記中空部材は、その遠位端に屈曲部をさらに含む、請求項１〜４のいずれか一項に記載のデバイス。
【請求項６】
前記遠位屈曲部と前記開口部との間の距離が２０ｍｍ未満であり、前記遠位屈曲部は、前記中空部材において、前記第１の近位屈曲部または前記第２の近位屈曲部に対して遠位の部分に対して最大９０度の屈曲角度を有し、好ましくは、前記遠位屈曲部は、前記中空部材において、前記第１の近位屈曲部または前記第２の近位屈曲部に対して遠位の部分に対して０〜６０度の屈曲角度を有し、または、前記遠位屈曲部が、前記中空部材において、前記第１の近位屈曲部または前記第２の近位屈曲部に対して遠位の部分に対して１０ｍｍ未満の曲げ半径を有する、請求項５に記載のデバイス。
【請求項７】
外科用ドリルである、請求項１〜６のいずれか一項に記載のデバイス。
【請求項８】
前記中空部材は、第３の近位屈曲部をさらに含み、好ましくは、前記中空部材は、第４の近位屈曲部をさらに含む、請求項１〜７のいずれか一項に記載のデバイス。
【請求項９】
前記細長い中空部材の前記遠位端から延びて、前記回転可能な切断要素を少なくとも部分的に覆うシールドをさらに備え、前記保護シールドは、前記遠位端および／または前記円形作用カッターの前記長手方向軸に対して０〜９０度の角度で位置決めされる、請求項１〜８のいずれかに記載のデバイス。
【請求項１０】
前記トルク伝達アセンブリは、前記トルク伝達アセンブリがコイル状になることを防止するように構成された支持構造をさらに含む、請求項１〜９のいずれかに記載のデバイス。
【請求項１１】
前記トルク伝達アセンブリは、前記トルク伝達アセンブリ／要素に沿った剛性および屈曲可能部分を画定するように構成された１つまたは複数の剛性要素を含む支持構造をさらに含み、前記剛性要素を欠く前記トルク伝達アセンブリ／要素の部分は、屈曲可能である、請求項１０に記載のデバイス。
【請求項１２】
前記トルク伝達アセンブリは、前記中空の細長い部材の非屈曲部分と位置合わせして配置される前記トルク伝達細長部材の離間した部分上に圧着される１つまたは複数の管状要素を含む支持構造をさらに含む、請求項１０に記載のデバイス。
【請求項１３】
前記支持構造が、１つまたは複数のベアリングを含み、好ましくは、前記１つまたは複数のベアリングは、前記中空の細長部材の屈曲部分に位置する前記トルク伝達細長部材の一部に沿って配置されるように構成される、請求項１０に記載のデバイス。
【請求項１４】
前記中空部材の前記近位端の前記第１の屈曲部は、前記近位屈曲部に対して遠位の中空部材の部分が、前記近位屈曲部に対して近位の中空部材の一部をオフセットし、それによって、前記回転可能な切断要素の可視性を確保するように構成され、前記トルク伝達要素／アセンブリは、前記回転可能な切断要素の回転運動に影響を及ぼすように構成される、請求項１〜１３のいずれか一項に記載のデバイス。
【手続補正書】
【提出日】令和3年2月26日(2021.2.26)
【手続補正１】
【補正対象書類名】特許請求の範囲
【補正対象項目名】全文
【補正方法】変更
【補正の内容】
【特許請求の範囲】
【請求項１】
対象者にメッセージを送信する方法であって、前記方法は、
経時的な対象者の１つ又は複数の生理的特性の測定値を取得するステップと、
前記測定値から複数の時間期間の間の前記対象者の心理的状態を決定するステップと、
前記対象者が関心の心理的状態にあるかどうかを決定するステップと、
前記対象者が第１の時間期間において関心の心理的状態にあると決定された場合、前記第１の時間期間の後の時間期間に、前記対象者が依然として前記関心の心理的状態にあるかどうかを決定するステップと、
前記対象者がもはや前記関心の心理的状態にないと決定されたとき、前記対象者にメッセージを送信するステップとを有する、方法。
【請求項２】
前記メッセージは、前記対象者が前記第１の時間期間における前記関心の心理的状態を識別することを要求する、請求項１に記載の方法。
【請求項３】
ベースライン心理的状態に関連する前記１つ又は複数の生理的特性の測定値の値を決定するステップをさらに有し、
前記対象者の心理的状態を決定するステップは、
前記１つ又は複数の生理的特性の測定値の現在のセットを決定された前記値と比較するステップと、
前記１つ又は複数の生理的特性の測定値の現在のセットが、前記決定された値からずれている場合、前記対象者が前記関心の心理的状態にあると決定するステップとを有する、請求項１又は２に記載の方法。
【請求項４】
前記対象者が前記関心の心理的状態にあると決定するステップは、前記測定値の現在のセットが、所定の量よりも多く前記決定された値からずれている場合、前記対象者が前記関心の心理的状態にあると決定するステップを有する、請求項３に記載の方法。
【請求項５】
前記対象者が前記関心の心理的状態にあると決定するステップは、前記測定値の現在のセットが、所定の最小時間量よりも長い時間量の間、前記決定された値からずれている場合、前記対象者が前記関心の心理的状態にあると決定するステップを有する、請求項３又は４に記載の方法。
【請求項６】
経時的な対象者の移動の測定値及び経時的な１つ又は複数の環境パラメータの測定値の一方又は両方を取得するステップをさらに有し、
前記対象者の心理的状態を決定するステップは、前記１つ又は複数の生理的特性の測定値と、前記経時的な対象者の移動の測定値及び前記経時的な１つ又は複数の環境パラメータの測定値の一方又は両方とから、前記複数の時間期間の間の前記対象者の心理的状態を決定するステップを有する、請求項１から５の何れか一項に記載の方法。
【請求項７】
前記対象者の心理的状態を決定するステップは、前記経時的な対象者の移動の測定値及び／又は前記経時的な１つ又は複数の環境パラメータの測定値が、前記対象者が身体的活動を実施していることを示す場合、前記対象者が前記関心の心理的状態にないと決定するステップを有する、請求項６に記載の方法。
【請求項８】
前記対象者の心理的状態を決定するステップは、前記経時的な対象者の移動の測定値及び／又は前記経時的な１つ又は複数の環境パラメータの測定値が、前記対象者が環境要因により身体的にストレスを受けていることを示す場合、前記対象者が前記関心の心理的状態にないと決定するステップを有する、請求項６又は７に記載の方法。
【請求項９】
コンピュータ可読コードが中に組み込まれたコンピュータ可読媒体であって、前記コンピュータ可読コードにより、コンピュータ又はプロセッサによる実行時に、前記コンピュータ又は前記プロセッサが、請求項１から８の何れか一項に記載の方法を実施するようにされる、コンピュータ可読媒体。
【請求項１０】
対象者にメッセージを送信するための装置であって、前記装置は、
経時的な対象者の１つ又は複数の生理的特性の測定値を取得することと、
前記測定値から複数の時間期間の間の対象者の心理的状態を決定することと、
前記対象者が関心の心理的状態にあるかどうかを決定することと、
前記対象者が関心の心理的状態にあると決定された第１の時間期間の後の時間期間に、前記対象者が依然として前記関心の心理的状態にあるかどうかを決定することと、
前記対象者がもはや前記関心の心理的状態にないと決定されたとき、前記対象者にメッセージを送信することとを行う処理ユニットを備える、装置。
【請求項１１】
前記メッセージは、前記対象者が前記第１の時間期間における前記関心の心理的状態を識別することを要求する、請求項１０に記載の装置。
【請求項１２】
前記処理ユニットは、ベースライン心理的状態に関連する１つ又は複数の生理的特性の測定値の値を決定し、
前記処理ユニットは、前記１つ又は複数の生理的特性の測定値の現在のセットを、決定された前記値と比較することと、
前記１つ又は複数の生理的特性の測定値の現在のセットが、前記決定された値からずれている場合、前記対象者が前記関心の心理的状態にあると決定することとによって、前記対象者の心理的状態を決定する、請求項１０又は１１に記載の装置。
【請求項１３】
前記処理ユニットは、経時的な対象者の移動の測定値及び経時的な１つ又は複数の環境パラメータの測定値の一方又は両方を取得し、
前記処理ユニットは、前記１つ又は複数の生理的特性の測定値と、前記経時的な対象者の移動の測定値及び前記経時的な１つ又は複数の環境パラメータの測定値の一方又は両方とから、前記複数の時間期間の間の前記対象者の心理的状態を決定することによって、前記対象者の心理的状態を決定する、請求項１０から１２の何れか一項に記載の装置。
【請求項１４】
前記処理ユニットは、前記経時的な対象者の移動の測定値及び／又は前記経時的な１つ又は複数の環境パラメータの測定値が、前記対象者が環境要因により身体的にストレスを受けていることを示す場合、前記対象者が前記関心の心理的状態にないと決定する、請求項１３に記載の装置。
【請求項１５】
前記装置は、前記経時的な対象者の１つ又は複数の生理的特性を測定するための生理的特性センサをさらに備える、請求項１０から１４の何れか一項に記載の装置。
【手続補正書】
【提出日】令和3年3月17日(2021.3.17)
【手続補正１】
【補正対象書類名】特許請求の範囲
【補正対象項目名】全文
【補正方法】変更
【補正の内容】
【特許請求の範囲】
【請求項１】
少なくとも２つの異なるマイクロファイバー材料を有する織布を含み、前記織布は、超純水のみで含浸されている、クリーンルーム用ワイパー。
【請求項２】
前記織布が、シールドエッジ（sealed edges）を含む、請求項１に記載のクリーンルーム用ワイパー。
【請求項３】
前記少なくとも２つのマイクロファイバー材料のうちの１つが、ナイロン／ポリエステル複合体を含む、請求項１又は２に記載のクリーンルーム用ワイパー。
【請求項４】
ナイロン／ポリエステル複合体を含む前記マイクロファイバー材料が、２５〜３０％のナイロン及び７０〜７５％のポリエステルを含む、請求項３に記載のクリーンルーム用ワイパー。
【請求項５】
前記少なくとも２つのマイクロファイバー材料のうちの第二の材料が、ポリエステルを含む、請求項４に記載のクリーンルーム用ワイパー。
【請求項６】
前記織布が、６本の縦糸及び１８本の横糸を有する繰り返しパターンを用いて織られた第一のマイクロファイバー材料及び第二のマイクロファイバー材料を含む、請求項１〜５のいずれか一項に記載のクリーンルーム用ワイパー。
【請求項７】
前記第一のマイクロファイバー材料が、前記繰り返しパターンにおける前記１８本の横糸に用いられるナイロン／ポリエステル複合体を含む、請求項６に記載のクリーンルーム用ワイパー。
【請求項８】
前記第二のマイクロファイバー材料が、前記繰り返しパターンにおける前記６本の縦糸に用いられるポリエステルを含む、請求項６又は７に記載のクリーンルーム用ワイパー。
【請求項９】
前記少なくとも２つの異なるマイクロファイバー材料を織って、前記マイクロファイバー材料のうちの１つがナイロン／ポリマー複合体を含む織布を作製する工程；
高温、高圧、及び少なくとも１つの界面活性剤を用いて前記織布を処理する工程；
前記織布を、無菌超純水を用いて洗浄する工程；
前記織布を乾燥する工程；
前記織布を切断し、前記織布のエッジをシールして、個々のワイパーを作製する工程；及び、
前記ワイパーをパッケージし、前記超純水で含浸する工程、
を含む方法によって作製された、請求項１〜８のいずれか一項に記載のクリーンルーム用ワイパー。
【請求項１０】
前記織布を作製する工程が、６本の縦糸及び１８本の横糸を有する繰り返しパターンを用いて、前記ナイロン／ポリマー複合体材料を、第二のマイクロファイバー材料と共に織ることを含む、請求項９に記載のクリーンルーム用ワイパー。
【請求項１１】
前記ナイロン／ポリマー複合体材料が、前記１８本の横糸に用いられ、前記第二のマイクロファイバー材料が、前記６本の縦糸に用いられる、請求項１０に記載のクリーンルーム用ワイパー。
【請求項１２】
前記織布の織られたマイクロファイバーが、前記織布を処理する工程の前に弛緩される、請求項９〜１１のいずれか一項に記載のクリーンルーム用ワイパー。
【請求項１３】
前記織布を洗浄する工程が、前記織布を、洗剤を用いて洗浄し、続いて無菌純水を用いて前記織布を繰り返しリンスすることを含む、請求項９〜１２のいずれか一項に記載のクリーンルーム用ワイパー。
【請求項１４】
前記織布を切断し、前記織布の前記エッジをシールする工程が、切断及びシールを同時に行うことを含む、請求項９〜１３のいずれか一項に記載のクリーンルーム用ワイパー。
【請求項１５】
前記方法が、前記パッケージされた含浸ワイパーを滅菌する工程をさらに含む、請求項９〜１４のいずれか一項に記載のクリーンルーム用ワイパー。
【手続補正２】
【補正対象書類名】明細書
【補正対象項目名】０００８
【補正方法】変更
【補正の内容】
【０００８】
本発明のＵＰＷ含浸ワイパーは、ＩＳＯクラス３及びそれ以上のクリーンルームで使用することができる。ＵＰＷ含浸ワイパーは、フラットパネルディスプレイ及びウェハ製造（water fabs）における高吸引（hi-vac）プロセスチャンバー及びロボティクスの洗浄、リソグラフィ、化学蒸着、及び計量モジュールにおける揮発性有機化合物（ＶＯＣ）に敏感なプロセス設備の洗浄、並びにリソグラフィトラックからの焼成したレジスト及び現像剤の洗浄除去に特に有用である。ＵＰＷ含浸ワイパーはまた、設備のフロントエンドモジュール、静電チャック、ＶＡＴバルブ、及びガス分散プレートなどの敏感なコンポーネントの最終拭き取りにも用いられ得る。ＵＰＷ含浸ワイパーはまた、設備の予防メンテナンス時に、並びにＶＯＣ及び引火性溶剤の排除が必要とされる場合のウェット洗浄にも、特に有用である。クリーンルーム中の水平面、ステンレススチールカート、及び作業面も、本発明のＵＰＷ含浸ワイパーを使用するのに理想的な場所である。
【手続補正３】
【補正対象書類名】明細書
【補正対象項目名】００１８
【補正方法】変更
【補正の内容】
【００１８】
図１は、本発明のクリーンルーム用ＵＰＷ含浸ワイパーの例示的な作製方法１０における工程を示すフローチャートである。まず、工程１２において、ワイパーの作製に用いられることになる織布作製のためのファイバーが選択される。ファイバーは、ナイロン／ポリエステル複合体である第一のマイクロファイバー、及びポリエステルである第二のマイクロファイバーを含む。本発明のワイパーの１つの例示的な実施形態を作製するために用いられる織布の作製に用いることができる第一のマイクロファイバーの写真を、図２に示す。第一のマイクロファイバー材料は、柔らかく、光沢があり、非常にかさ高い。それはまた、非常に優れた水分透過性及び通気性も備える。ナイロン／ポリエステル複合体は、２５〜３０％のナイロン及び７０〜７５％のポリエステルから構成されていてよい。１つの特定の例示的な実施形態では、ナイロン／ポリエステル複合体は、７２％のポリエステル及び２８％のナイロンを含んでよい。本発明のワイパーの例示的な実施形態を作製するために用いられる織布の作製に用いることができる第二のマイクロファイバーの写真を、図３に示す。第二のマイクロファイバー材料は、柔らかく、高密度であり、耐水性、水分透過性であり、高い引張強度を有する。
【手続補正書】
【提出日】令和3年3月19日(2021.3.19)
【手続補正１】
【補正対象書類名】特許請求の範囲
【補正対象項目名】全文
【補正方法】変更
【補正の内容】
【特許請求の範囲】
【請求項１】
生体物質の画像を取得および処理するシステムにおいて、該システムは、
複数の光干渉断層撮影（ＯＣＴ）画像を生成するように構成された光干渉断層撮影（ＯＣＴ）スキャナと、
複数のコンピュータで実行可能な命令を格納するように構成された１または複数のコンピュータ可読式記憶装置と、
該１または複数のコンピュータ可読式記憶装置と通信する１または複数のハードウェアコンピュータプロセッサを含み、該プロセッサは複数のコンピュータで実行可能な命令を実行するように構成され、これにより、該システムは、
前記ＯＣＴスキャナから、前記複数のＯＣＴ画像を入手し、
該複数のＯＣＴ画像から、前記生体物質の１または複数の表面層の複数のｅｎ−ｆａｃｅ画像および該生体物質の１または複数の深部層の複数のｅｎ−ｆａｃｅ画像を生成し、
１または複数の画像レジストレーション法を前記１または複数の表面層の前記複数のｅｎ−ｆａｃｅ画像に適用して、画像アライメント設定を作成し、
該画像アライメント設定を保存し、
１または複数の画像レジストレーション法を、前記保存された画像アライメント設定の少なくとも一部に基づいて、前記１または複数の深部層の前記複数のｅｎ−ｆａｃｅ画像に適用することにより、前記１または複数の深部層のそれぞれの平均化ｅｎ−ｆａｃｅ画像を少なくとも１つ生成し、
該１または複数の平均化ｅｎ−ｆａｃｅ画像を出力することを特徴とするシステム。
【請求項２】
請求項１に記載のシステムにおいて、前記画像レジストレーション法は、線形レジストレーション、アフィンレジストレーションおよび弾性レジストレーションのうちの少なくとも１つを含むことを特徴とするシステム。
【請求項３】
請求項１または２に記載のシステムにおいて、該システムによってさらに、前記１または複数の表面層の前記複数のｅｎ−ｆａｃｅ画像がそれぞれに、および前記１または複数の深部層の前記複数のｅｎ−ｆａｃｅ画像がそれぞれに複数のセクタに分割され、該システムによってさらに、レジストレーション法が前記複数のセクタのそれぞれに個別に適用されることを特徴とするシステム。
【請求項４】
請求項１〜３のいずれか１項に記載のシステムにおいて、前記生体物質は、網膜、脈絡膜または他の眼組織を含むことを特徴とするシステム。
【請求項５】
請求項１〜４のいずれか１項に記載のシステムにおいて、前記１または複数の表面層は少なくとも表在血管網を含むことを特徴とするシステム。
【請求項６】
請求項１〜５のいずれか１項に記載のシステムにおいて、前記１または複数の深部層は脈絡毛細管および深部毛細管網のうちの少なくとも一方を含むことを特徴とするシステム。
【請求項７】
請求項１〜６のいずれか１項に記載のシステムにおいて、前記複数のＯＣＴ画像は光干渉断層血管造影（ＯＣＴＡ）画像を含むことを特徴とするシステム。
【請求項８】
請求項１〜７のいずれか１項に記載のシステムにおいて、該システムは前記複数のＯＣＴ画像を三次元座標空間にてアライメントするよう構成されることを特徴とするシステム。
【請求項９】
請求項１〜８のいずれか１項に記載のシステムにおいて、該システムは、前記ＯＣＴスキャナによる前記複数のＯＣＴ画像の生成時に、前記生体物質の動きを考慮するように構成されることを特徴とするシステム。
【請求項１０】
請求項１〜９のいずれか１項に記載のシステムにおいて、前記動きは並進運動および回転運動のうちの少なくとも１つを含むことを特徴とするシステム。
【請求項１１】
請求項１〜１０のいずれか１項に記載のシステムにおいて、前記１または複数の表面層は明確な特徴または目印を含むことを特徴とするシステム。
【請求項１２】
請求項１〜１１のいずれか１項に記載のシステムにおいて、前記明確な特徴または目印は血管を含むことを特徴とするシステム。